【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
一端に送信側コネクタが設けられ、他端に受信側コネクタが設けられたアクティブケーブルと、上記送信側コネクタに接続された画像送信装置と、上記受信側コネクタに接続された画像受信装置とを含む画像送受信システムにおいて、
上記送信側コネクタは、当該送信側コネクタの内部状態を示す内部情報を上記画像送信装置に提供する提供部を備えており、
上記画像送信装置は、上記アクティブケーブルを介して上記画像受信装置に送信する画像信号に、上記送信側コネクタから取得した上記内部情報を重畳する重畳部を備えている、
ことを特徴とする画像送受信システム。
【請求項２】
上記画像受信装置は、上記アクティブケーブルを介して上記画像送信装置から受信した上記画像信号から、上記内部情報を分離する分離部を備えている、
ことを特徴とする請求項１に記載の画像送受信システム。
【請求項３】
上記提供部は、上記画像送信装置を制御するための画像送信装置制御信号であって、上記画像送信装置に提供する画像送信装置制御信号に、上記内部情報を重畳することによって、上記内部情報を上記画像送信装置に提供する、
ことを特徴とする請求項１又は２に記載の画像送受信システム。
【請求項４】
上記画像受信装置は、上記画像送信装置を制御するための画像送信装置制御信号であって、上記アクティブケーブルを介して上記画像送信装置に送信する画像送信装置制御信号に、上記送信側コネクタを制御するためのコネクタ制御信号を重畳するか、又は、上記画像送信装置制御信号の無信号期間に上記コネクタ制御信号を挿入する重畳／挿入部を備えている、
ことを特徴とする請求項１〜３の何れか１項に記載の画像送受信システム。
【請求項５】
上記画像送信装置は、上記アクティブケーブルを介して上記画像受信装置から受信した上記画像送信装置制御信号から上記コネクタ制御信号を分離すると共に、分離した上記コネクタ制御信号を上記送信側コネクタに提供する分離部を更に備えている、
ことを特徴とする請求項４に記載の画像送受信システム。
【請求項６】
上記送信側コネクタは、上記アクティブケーブルを介して上記画像受信装置から受信した上記画像送信装置制御信号から上記コネクタ制御信号を分離する分離部を備えている、ことを特徴とする請求項４に記載の画像送受信システム。
【請求項７】
上記アクティブケーブルは、上記画像信号を伝送するための光ファイバと、上記画像送信装置制御信号を伝送するための光ファイバとを含むアクティブ光ケーブルである、
ことを特徴とする請求項３〜６の何れか１項に記載の画像送受信システム。
【請求項８】
一端に送信側コネクタが設けられ、他端に受信側コネクタが設けられたアクティブケーブルと、上記送信側コネクタに接続された画像送信装置と、上記受信側コネクタに接続された画像受信装置とを含む画像送受信システムにおいて、上記画像受信装置が上記送信側コネクタを監視する監視方法であって、
上記送信側コネクタが、当該送信側コネクタの内部状態を示す内部情報を画像送信装置に提供する提供ステップと、
上記画像送信装置が、上記アクティブケーブルを介して上記画像受信装置に送信する画像信号に、上記送信側コネクタから取得した上記内部情報を重畳する重畳ステップと、を含んでいる、
ことを特徴とするアクティブケーブルの監視方法。
【請求項９】
一端に送信側コネクタが設けられ、他端に受信側コネクタが設けられたアクティブケーブルと、上記送信側コネクタに接続された画像送信装置と、上記受信側コネクタに接続された画像受信装置とを含む画像送受信システムにおいて、上記画像受信装置が上記送信側コネクタを制御する制御方法であって、
上記画像受信装置が、上記画像送信装置を制御するための画像送信装置制御信号であって、上記アクティブケーブルを介して上記画像送信装置に送信する画像送信装置制御信号に、上記送信側コネクタを制御するためのコネクタ制御信号を重畳するか、又は、上記画像送信装置制御信号の無信号期間に上記コネクタ制御信号を挿入する重畳／挿入ステップを含んでいる、
ことを特徴とするアクティブケーブルの制御方法。
【請求項１０】
一端に送信側コネクタが設けられ、他端に受信側コネクタが設けられたアクティブケーブルの上記送信側コネクタに接続可能な画像送信装置であって、
上記送信側コネクタの内部状態を示す内部情報を上記送信側コネクタから取得する取得部と、
上記アクティブケーブルを介して上記受信側コネクタに接続された画像受信装置に送信する画像信号に、上記送信側コネクタから取得した上記内部情報を重畳する重畳部と、を備えている、
ことを特徴とする画像送信装置。
【請求項１１】
一端に送信側コネクタが設けられ、他端に受信側コネクタが設けられたアクティブケーブルであって、
上記送信側コネクタは、当該送信側コネクタの内部状態を示す内部情報を、当該送信側コネクタに接続された画像送信装置に提供する提供部を備えている、
ことを特徴とするアクティブケーブル。
【請求項１２】
一端に送信側コネクタが設けられ、他端に受信側コネクタが設けられたアクティブケーブルの上記受信側コネクタに接続可能な画像受信装置であって、
上記送信側コネクタに接続された画像送信装置を制御するための画像送信装置制御信号であって、上記アクティブケーブルを介して上記画像送信装置に送信する画像送信装置制御信号に、上記送信側コネクタを制御するためのコネクタ制御信号を重畳するか、又は、上記画像送信装置制御信号の無信号期間に上記コネクタ制御信号を挿入する重畳／挿入部を備えている、
ことを特徴とする画像受信装置。
【手続補正２】
【補正対象書類名】明細書
【補正対象項目名】０００４
【補正方法】変更
【補正の内容】
【０００４】
特許文献１に記載のアクティブ光ケーブルは、光ファイバとメタルケーブルとを複合した複合ケーブルの一端に送信側（カメラ側）コネクタを設け、他端に受信側（グラバ側）コネクタを設けたものである。複合ケーブルに含まれる光ファイバは、画像信号Ｘ０〜Ｘ３をクロック信号Ｘｃｌｋと共にカメラからグラバに送信するために利用される。複合ケーブルに含まれるメタルケーブルとしては、（１）グラバからカメラに電力を供給するためのシールド線、（２）上りカメラ制御信号ＳｅｒＴＣをグラバからカメラに送信するための差動線、（３）下りカメラ制御信号ＳｅｒＴＦＧをカメラからグラバに送信するための差動線、（４）トリガ信号ＣＣ１〜ＣＣ４をグラバからカメラに送信するための差動線、及び、（５）送信側コネクタに内蔵されたカメラ側ＭＣＵ（Ｍｉｃｒｏ  Ｃｏｎｔｒｏｌｌｅｒ  Ｕｎｉｔ）と受信側コネクタに内蔵されたグラバ側ＭＣＵとを接続する差動線が挙げられる。
【手続補正３】
【補正対象書類名】明細書
【補正対象項目名】０００５
【補正方法】変更
【補正の内容】
【０００５】
アクティブ光ケーブルでは、送信側コネクタの内部状態（例えば、送信側コネクタ内の温度）や受信側コネクタの内部状態（例えば、受信側コネクタに内蔵された受光素子から出力される電流の大きさ）などに応じて、グラバが送信側コネクタを制御する（例えば、送信側コネクタに内蔵された発光素子に入力する電流の大きさを変更する）必要がある。このため、送信側コネクタの内部状態を示す内部情報を、カメラ側ＭＣＵからグラバ側ＭＣＵを介してグラバに送信したり、送信側コネクタを制御するための制御信号を、グラバからグラバ側ＭＣＵを介してカメラ側ＭＣＵに送信したりする必要がある。送信側コネクタに内蔵されたカメラ側ＭＣＵと受信側コネクタに内蔵されたグラバ側ＭＣＵとを接続する差動線は、このような通信を実現するためのものである。
【手続補正４】
【補正対象書類名】明細書
【補正対象項目名】００４０
【補正方法】変更
【補正の内容】
【００４０】
また、アクティブ光ケーブル（ＡＯＣ；Active Optical Cable）とは、アクティブケーブルが備えている信号線のうち、少なくとも高速信号（例えば、画像信号）を伝送するための信号線が光ファイバによって構成されているケーブルのことを指す。アクティブ光ケーブルに対して、高速信号（例えば、画像信号）を伝送するための信号線が金属配線によって構成されているケーブルのことをアクティブメタルケーブルと呼ぶ。
【手続補正５】
【補正対象書類名】明細書
【補正対象項目名】００４４
【補正方法】変更
【補正の内容】
【００４４】
まず、画像送受信システム１におけるカメラ３０、アクティブ光ケーブル１０、及びグラバ４０の基本的な構成を説明する。その後に、アクティブ光ケーブル１０のカメラ側コネクタ１１（送信側コネクタ）及びグラバ側コネクタ１２（受信側コネクタ）を監視（モニター）及び制御するための構成について説明する。
【手続補正６】
【補正対象書類名】明細書
【補正対象項目名】００４５
【補正方法】変更
【補正の内容】
【００４５】
（カメラ３０）
図１に示すように、カメラ３０は、カメラコントローラ３１、センサユニット３２、アナログ／デジタル変換部（Ａ／Ｄ変換部）３３、信号処理部３４、時分割多重化回路３５（ＭＵＸ）、及び電圧変換部３６を備えている。
【手続補正７】
【補正対象書類名】明細書
【補正対象項目名】００４７
【補正方法】変更
【補正の内容】
【００４７】
カメラコントローラ３１は、機能ブロックとしてデコーダ３１１及びコネクタ制御部３１２を備えている。デコーダ３１１は、カメラ側コネクタ１１のＯ／Ｅ変換部１１３から取得したカメラ制御信号（画像送信装置制御信号）をデコードし、カメラコントローラ３１に供給する。カメラコントローラ３１は、デコードされたカメラ制御信号に従って、センサユニット３２、Ａ／Ｄ変換部３３、信号処理部３４、及びＭＵＸ３５を制御する。
【手続補正８】
【補正対象書類名】明細書
【補正対象項目名】００４９
【補正方法】変更
【補正の内容】
【００４９】
センサユニット３２は、図示しない撮像センサ、図示しないＡ／Ｄ変換部、図示しない同期信号生成部、図示しないアナログ画像処理部を備えている。撮像センサは、マトリククス状に配置された複数の画素を備えている。撮像センサの各画素は、受光した光の強度を、その光の強度に応じた電圧に変換する。したがって、撮像センサは、図示しない光学系を介して入射してくる光を画像として撮像し、この画像を表すアナログの画像信号に変換し、この画像信号をＡ／Ｄ変換部に提供する。撮像センサは、赤（Ｒ）、緑（Ｇ）、及び青（Ｂ）それぞれの光の強度を検出可能なカラー撮像センサであってもよいし、モノクロ撮像センサであってもよい。以下においては、カラー撮像センサであるものとして説明する。
【手続補正９】
【補正対象書類名】明細書
【補正対象項目名】００５６
【補正方法】変更
【補正の内容】
【００５６】
また、ＭＵＸ３５は、市販のＩＣ（Ｉｎｔｅｇｒａｔｅｄ  Ｃｉｒｃｕｉｔ）を用いて構成することもできる。本実施形態では、図３の（ａ）に示すように、ＴｅｘａｓＩｎｓｔｒｕｍｅｎｔｓ社製のシリアライザ（Ｓｅｒｉａｌｉｚｅｒ）ＩＣであるＤＳ９２ＬＶ３２４１を用いてＭＵＸ３５を構成している。また、図３の（ｂ）には、後述するＤＥＭＵＸ４２として機能するデシリアライザ（Ｄｅｓｅｒｉａｌｉｚｅｒ）ＩＣであるＤＳ９２ＬＶ３２４２を示している。
【手続補正１０】
【補正対象書類名】明細書
【補正対象項目名】００６２
【補正方法】変更
【補正の内容】
【００６２】
上り光ファイバ１４は、カメラを制御するためのカメラ制御信号を伝送する光ファイバ１４１と、カメラにシャッタータイミングを指示するためのトリガ信号を伝送する光ファイバ１４２とを備えている。なお、アクティブ光ケーブル１０に対して、上り４本／下り４本の光ファイバを複合したＱＳＦＰアクティブ光ケーブルの技術を適用する場合、アクティブ光ケーブル１０は、Ｅ／Ｏ変換部１２２が備えている４個の発光部のうち２つの発光部を無効化し、無効化した２つの発光部に対応する２本の光ファイバを未使用とすればよい。画像信号、カメラ制御信号、及びトリガ信号については、後述する。
【手続補正１１】
【補正対象書類名】明細書
【補正対象項目名】００７２
【補正方法】変更
【補正の内容】
【００７２】
具体的には、Ｏ／Ｅ変換部１１３の受光部は、光ファイバ１４１から光信号であるカメラ制御信号を受光する。受光部であるフォトダイオードは、受光したカメラ制御信号を表す光信号の光強度を、対応するフォトダイオード電流に変換する。フォトダイオードは、変換したフォトダイオード電流を電流電圧変換部へ供給する。電流電圧変換部は、受光部であるフォトダイオードから取得したフォトダイオード電流を、対応する電圧に変換する。電流電圧変換部は、フォトダイオード電流に対応する電圧、すなわち電気信号をカメラコントローラ３１に対して供給する。以上の工程により、Ｏ／Ｅ変換部１１３は、カメラ制御信号の態様を光信号から電気信号に変換する。
【手続補正１２】
【補正対象書類名】明細書
【補正対象項目名】００７４
【補正方法】変更
【補正の内容】
【００７４】
温度センサ１１４は、Ｅ／Ｏ変換部１１２のレーザ素子の近傍領域に配置されており、レーザ素子の近傍領域の温度を検出する。温度センサ１１４は、検出したレーザ素子の近傍領域の温度を内部情報提供部１１１ａに提供する。レーザ素子の近傍領域の温度は、カメラ側コネクタ１１の内部状態を示す前記内部情報の１つである。カメラ側コネクタ１１の内部情報をグラバ４０に送信する方法については後述する。
【手続補正１３】
【補正対象書類名】明細書
【補正対象項目名】００８８
【補正方法】変更
【補正の内容】
【００８８】
グラバコントローラ４１は、機能ブロックとしてエンコーダ４１１及びコネクタ制御部４１２を備えている。エンコーダ４１１は、カメラ３０に送信するカメラ制御信号をデータ送信用フォーマットにエンコードし、グラバ側コネクタ１２のＥ／Ｏ変換部１２２に供給する。ここで、データ送信用フォーマットとは、画像処理装置であるコンピュータがカメラ制御信号を処理する時に用いるフォーマットと比較して、伝送に適した態様のフォーマットのことを意味する。データ送信用フォーマットの具体例としては、ＲＳ−２３２Ｃ（ＥＩＡ−２３２規格）によって規定されるフォーマット、及び、ＣＭＩ（Ｃｏｄｅｄ  Ｍａｒｋ  Ｉｎｖｅｒｓｉｏｎ）符号方式を用いたフォーマットが挙げられる。
【手続補正１４】
【補正対象書類名】明細書
【補正対象項目名】００９２
【補正方法】変更
【補正の内容】
【００９２】
また、ＤＥＭＵＸ４２は、市販のＩＣを用いて構成することもできる。図３の（ｂ）に、本実施形態でＤＥＭＵＸ４２として用いているＴｅｘａｓＩｎｓｔｒｕｍｅｎｔｓ社製のデシリアライザＩＣであるＤＳ９２ＬＶ３２４２を示している。図３の（ｂ）に示したとおり、ＤＥＭＵＸ４２は、取得した４対の差動信号（ＲｘＩＮ０の＋及び−、ＲｘＩＮ１の＋及び−、ＲｘＩＮ２の＋及び−、並びに、ＲｘＩＮ３の＋及び−）を時分割分離することによって、３２ビットのパラレル信号（ＲｘＯＵＴ０〜ＲｘＯＵＴ３１）を生成することができる。
【手続補正１５】
【補正対象書類名】明細書
【補正対象項目名】００９８
【補正方法】変更
【補正の内容】
【００９８】
（カメラ側コネクタ１１に対する監視方法）
ここでは、グラバ４０がカメラ側コネクタ１１を監視する場合の監視方法を、図４を参照して説明する。その後に、グラバ４０がカメラ側コネクタ１１を制御する場合の制御方法を、図５を参照して説明する。また、カメラ制御信号、カメラ側コネクタ制御信号、及びグラバ側コネクタ制御信号について、図６を参照して説明する。
図４は、グラバ４０がカメラ側コネクタ１１を監視する場合のフローチャートである。図５は、グラバ４０がカメラ側コネクタ１１を制御する場合のフローチャートである。図６は、カメラ制御信号、カメラ側コネクタ制御信号、及びグラバ側コネクタ制御信号のデータ構造の一例を表す表である。
【手続補正１６】
【補正対象書類名】明細書
【補正対象項目名】０１０５
【補正方法】変更
【補正の内容】
【０１０５】
１１〜１３バイト目のコマンドは、ライトモードの場合に８〜１０バイト目のコマンドによって指定されるＥＥＰＲＯＭ（登録商標）／ＲＡＭのアドレスに書き込まれる実行データを指定する。なお、リードモード及びＡＣＫモードの場合には、１１〜１３バイト目のコマンドは特に指定されない。
【手続補正１７】
【補正対象書類名】明細書
【補正対象項目名】０１０７
【補正方法】変更
【補正の内容】
【０１０７】
次に、図４を参照して、グラバ４０がカメラ側コネクタ１１を監視する場合の監視方法を説明する。「カメラ側コネクタ１１に対する制御方法」の項に後述するように、グラバ４０がカメラ側コネクタ１１を制御する場合に、コネクタ制御部４１２は、制御対象をカメラ側コネクタ１１とするカメラ側コネクタ制御信号を生成し、エンコーダ４１１に提供する（ステップＳ１１１参照）。また、エンコーダ４１１は、カメラ３０を制御するためのカメラ制御信号をコンピュータから取得する（ステップＳ１１２参照）。エンコーダ４１１は、上記コンピュータから取得したカメラ制御信号をデータ送信用フォーマットに変換し、グラバ側コネクタ１２のＥ／Ｏ変換部１２２に提供する。
【手続補正１８】
【補正対象書類名】明細書
【補正対象項目名】０１２８
【補正方法】変更
【補正の内容】
【０１２８】
なお、ここでは、カメラ側コントローラ１１１の内部情報提供部１１１ａは、グラバ４０からのカメラ側コネクタ制御信号に基づいて第１の内部情報をＥ／Ｏ変換部１１２及び温度センサ１１４から取得し、コネクタ制御部３１２へ提供するものとして説明したが、内部情報提供部１１１ａは、所定のタイミングにおいて第１の内部情報を取得及び提供するように構成されていてもよい。所定のタイミングは、定期的であってもよいし、非定期的であってもよい。この所定のタイミングが定期的である場合、第１のバイアス電流情報及び第１の温度情報を取得する間隔である第１の取得間隔は、特に限定されるものではない。例えば、上記第１の取得間隔は、１０秒に設定されていてもよい。なお、第１のバイアス電流情報を取得するタイミングと第１の温度情報を取得するタイミングとは、同じでもよいし異なっていてもよい。
【手続補正１９】
【補正対象書類名】明細書
【補正対象項目名】０１３４
【補正方法】変更
【補正の内容】
【０１３４】
なお、ここでは内部情報の具体例として、第２のバイアス電流情報及び第２の温度情報を挙げてグラバ側コネクタ１２の監視について説明した。また、上述したカメラ側コネクタ１１に対する監視方法においては、内部情報の具体例として第１のバイアス電流情報及び第１の温度情報を挙げてカメラ側コネクタ１１の監視について説明した。しかし、グラバ４０が取得する内部情報はこれらに限定されるものではない。すなわち、グラバ４０が監視するアクティブ素子は、Ｅ／Ｏ変換部１１２及び１２２に限定されるものではなく、Ｏ／Ｅ変換部１１３及び１２３であってもよい。例えば、グラバ４０は、Ｏ／Ｅ変換部１１３の状態を示す内部情報として、Ｏ／Ｅ変換部１１３が備えている受光部がカメラコントローラ３１に出力する電流値、言い換えれば受光パワーを表す第１の受光パワー情報を取得してもよい。また、グラバ４０は、Ｏ／Ｅ変換部１２３の状態を示す内部情報として、Ｏ／Ｅ変換部１２３が備えている受光部がＤＥＭＵＸ４２に出力する電流値、言い換えれば受光パワーを表す第２の受光パワー情報を取得してもよい。Ｏ／Ｅ変換部１１３及び１２３が備えている各受光部が出力する電流値は、各受光部が受光する光信号のパワーに対応する。
【手続補正２０】
【補正対象書類名】明細書
【補正対象項目名】０１４０
【補正方法】変更
【補正の内容】
【０１４０】
コネクタ制御部３１２からカメラ側コネクタ１１を制御対象とするカメラ側コネクタ制御信号を取得した場合、カメラ側コントローラ１１１は、取得したカメラ側コネクタ制御信号の７バイト目に指定されているライトモードを表す「Ｗ」と、８〜１０バイト目に指定されているＥＥＰＲＯＭ／ＲＡＭのアドレスと、１１〜１３バイト目に指定されているＥＥＰＲＯＭ／ＲＡＭへの書き込みデータに応じて、カメラ側コネクタ１１のアクティブ素子を制御する（ステップＳ２１８）。ここでは、カメラ側コントローラ１１１は、取得したカメラ側コネクタ制御信号の７〜１３バイト目に指定されているコマンドに応じて、Ｅ／Ｏ変換部１１２が備えているレーザ素子のバイアス電流を１０ｍＡに設定する。
【手続補正２１】
【補正対象書類名】明細書
【補正対象項目名】０１４６
【補正方法】変更
【補正の内容】
【０１４６】
また、なんらかの理由により受信したカメラ制御信号が表す制御を実行しなかった場合（ステップＳ２３２においてＮＯ）、カメラコントローラ３１は、取得したカメラ制御信号が表す制御を実行しなかった旨を意味する応答信号としてＮＡＣＫ（Negative-Acknowledge）信号をＭＵＸ３５を介してグラバ４０へ送信するように構成されていてもよい（ステップＳ２３４）。
【手続補正２２】
【補正対象書類名】明細書
【補正対象項目名】０１５９
【補正方法】変更
【補正の内容】
【０１５９】
画像送受信システム２は、第１の実施形態に係る画像送受信システム１と比較して、アクティブ光ケーブル２０が備えているグラバ側コネクタ２２の構成と、グラバ側コネクタ２２とコネクタ制御部４１２とにおける接続の態様とが異なる。画像送受信システム１では、グラバ側コントローラ２２１とコネクタ制御部４１２との間に設けられている信号線は、双方向通信が可能な信号線である。
【手続補正２３】
【補正対象書類名】明細書
【補正対象項目名】０１８２
【補正方法】変更
【補正の内容】
【０１８２】
更にデコーダ２２１ｂは、変換した制御信号の１〜６バイト目のコマンドを参照し、そのカメラ制御信号又はカメラ側コネクタ制御信号がグラバ側コネクタ２２の識別番号であるか否かを判定する（ステップＳ３１５）。言い換えれば、デコーダ２２１ｂは、制御信号が含む識別番号がグラバ側コネクタ２２の識別番号であるか否かを判定することによって、グラバ側コネクタ２２を制御対象とする制御信号と、他の機器（カメラ４０及びカメラ側コネクタ１１）を制御対象とする制御信号とを分離する。
【手続補正２４】
【補正対象書類名】明細書
【補正対象項目名】０１８３
【補正方法】変更
【補正の内容】
【０１８３】
１〜６バイト目のコマンドがグラバ側コネクタ２２の識別番号である「０００００３」である場合、デコーダ２２１ｂは、変換した制御信号がグラバコネクタ２２を制御対象とするグラバ側コネクタ制御信号であると判定し、当該制御信号をグラバ側コントローラ２２１へ提供する。グラバ側コントローラ２２１は、取得したグラバ側コネクタ制御信号の７バイト目に指定されているライトモードを表す「Ｗ」と、８〜１０バイト目に指定されているＥＥＰＲＯＭ／ＲＡＭのアドレスと、１１〜１３バイト目に指定されているＥＥＰＲＯＭ／ＲＡＭへの書き込みデータに応じて、グラバ側コネクタ２２のアクティブ素子を制御する（ステップＳ３１６）。ここでは、グラバ側コントローラ２２１は、取得したグラバ側コネクタ制御信号の７〜１３バイト目に指定されているコマンドに応じて、Ｅ／Ｏ変換部１２２が備えているレーザ素子のバイアス電流を１０ｍＡに設定する。
【手続補正２５】
【補正対象書類名】明細書
【補正対象項目名】０１８４
【補正方法】変更
【補正の内容】
【０１８４】
グラバ側コントローラ２２１がグラバ側コネクタ制御信号の１１〜１３バイト目のコマンドによって表される制御（この場合は、レーザ素子のバイアス電流を１０ｍＡに設定する）を実行した場合（ステップＳ３１７においてＹＥＳの場合）、グラバ側コントローラ２２１は、取得したグラバ側コネクタ制御信号が表す制御を実行した旨を意味する応答信号としてＡＣＫ信号を生成し、ＭＵＸ／エンコーダ２２１ｃに提供する（ステップＳ３１８）。本実施形態において、ＡＣＫ信号は、図６に示す制御信号の３つの処理コード（リードモード、ライトモード、及びＡＣＫモード）のうちＡＣＫモードを使用する。すなわち、グラバ側コントローラ２２１は、ＡＣＫ信号の７バイト目のコマンドとしてＡＣＫモードを表す「Ａ」を指定する。また、グラバ側コントローラ２２１は、ＡＣＫ信号の１〜６バイト目のコマンドとして自身の識別番号である「０００００３」を指定する。これらにより、このＡＣＫ信号がグラバ側コントローラ２２１によって生成されたＡＣＫ信号であることを明示することができる。
【手続補正２６】
【補正対象書類名】明細書
【補正対象項目名】０１９３
【補正方法】変更
【補正の内容】
【０１９３】
デコーダ１１１ｂは、Ｏ／Ｅ変換部１１３から取得したカメラ制御信号のフォーマット、及び、カメラ制御信号に重畳されていたコネクタ制御信号のフォーマットを、データ送信用フォーマットから、カメラ側コントローラ５１１が処理可能なフォーマットに変換する。デコーダ１１１ｂは、変換したカメラ制御信号及びコネクタ制御信号を、カメラ側コントローラ５１１に提供する。
【手続補正２７】
【補正対象書類名】明細書
【補正対象項目名】０２１４
【補正方法】変更
【補正の内容】
【０２１４】
一方、上述した実施形態１〜３に記載のアクティブ光ケーブル１０、２０、及び５０は、カメラ側コネクタ制御信号が重畳されたカメラ制御信号を伝送する光ファイバ１４１と、トリガ信号を伝送する光ファイバ１４２を備えていればよく、残り２本の光ファイバを省いてもよい。また、グラバ側コネクタ１２が備えているＥ／Ｏ変換部１２２は、２つの発光部を無効化し２つの発光部（カメラ制御信号を光ファイバ１４１に結合させる発光部、及び、トリガ信号を光ファイバ１４２に結合させる発光部）を有効化すればよい。このようにアクティブ光ケーブル１０、２０、及び５０は、ＱＳＦＰアクティブ光ケーブルの技術を適用した場合、より少ない構成（簡略化した構成）によって画像送受信システムを実現可能である。加えて、アクティブ光ケーブル１０、２０、及び５０は、Ｅ／Ｏ変換部１２２における消費電力を抑制することができる。
【手続補正２８】
【補正対象書類名】明細書
【補正対象項目名】０２２０
【補正方法】変更
【補正の内容】
【０２２０】
イコライザ８２３は、下り差動線８３を介してディエンファシス８１２から受信した画像信号の周波数特性を最適化すると共に、周波数特性が最適化された画像信号をグラバ４０のＤＥＭＵＸ４２に提供する。周波数特性を最適化することによって、画像信号のアイパターンをより開かせることができる。イコライザ８２３は、アクティブ素子の１つであり、画像信号の周波数特性を最適化するときに用いるゲインを表す第２のゲイン情報を内部情報としてグラバ側コントローラ１２１に提供する。
【手続補正２９】
【補正対象書類名】明細書
【補正対象項目名】０２２４
【補正方法】変更
【補正の内容】
【０２２４】
〔変形例〕
実施形態５に記載した画像送受信システム５の変形例に係る画像送受信システム５’について、図１２を参照して説明する。なお、説明の便宜上、前記実施形態にて説明した部材と同じ機能を有する部材については、同じ符号を付記し、その説明を省略する。図１２は、画像送受信システム５’の構成を示すブロック図である。図１２に示すように、画像送受信システム５’は、アクティブメタルケーブル８０’、カメラ３０、及びグラバ４０を備えている。
【手続補正３０】
【補正対象書類名】明細書
【補正対象項目名】０２２７
【補正方法】変更
【補正の内容】
【０２２７】
デシリアライザ１２３’は、下り差動線８７を介してシリアライザ８１２’から受信した１対のシリアル信号である画像信号を４対の差動信号である画像信号にデシリアライズする。その後、デシリアライザ８２３’は、デシリアライズした４対の差動信号である画像信号を、グラバ４０のＤＥＭＵＸ４２に提供する。デシリアライザ８２３’は、アクティブ素子の１つであり、ＰＬＬロック検出が成功しているか否かを表す第２のＰＬＬロック検出情報を内部情報としてグラバ側コントローラ１２１に提供する。
【手続補正３１】
【補正対象書類名】明細書
【補正対象項目名】０２３２
【補正方法】変更
【補正の内容】
【０２３２】
１，２，３，４，５，５’  画像送受信システム
１０，２０，５０，７０  アクティブ光ケーブル（アクティブケーブル）
１１，５１，７１，８１，８５  カメラ側コネクタ（送信側コネクタ）
１１１，５１１  カメラ側コントローラ
１１１ａ，２２１ａ  内部情報提供部（提供部）
１２，２２，７２，８２，８６  グラバ側コネクタ（受信側コネクタ）
１３  下り光ファイバ
１４，７４  上り光ファイバ
１２１，２２１  グラバ側コントローラ
１１１ｃ，２２１ｃ  ＭＵＸ／エンコーダ（重畳部）
３０，６０  カメラ（画像送信装置）
３１，６１  カメラコントローラ
３１１  デコーダ（分離部）
３１２  コネクタ制御部（分離部、取得部）
３５  ＭＵＸ（重畳部）
４０  グラバ（画像受信装置）
４１  グラバコントローラ
４１１  エンコーダ（重畳部）
４２  ＤＥＭＵＸ（分離部）
４１２  コネクタ制御部
８０，８０’  アクティブメタルケーブル（アクティブケーブル）
８３，８７  下り差動線
８４  上り差動線
【手続補正３２】
【補正対象書類名】図面
【補正対象項目名】図７
【補正方法】変更
【補正の内容】
【図７】
2016025587.tif 000001
【手続補正３３】
【補正対象書類名】図面
【補正対象項目名】図８
【補正方法】変更
【補正の内容】
【図８】
2016025587.tif 000002
【手続補正３４】
【補正対象書類名】図面
【補正対象項目名】図９
【補正方法】変更
【補正の内容】
【図９】
2016025587.tif 000003
【手続補正３５】
【補正対象書類名】図面
【補正対象項目名】図１０
【補正方法】変更
【補正の内容】
【図１０】
2016025587.tif 000004
【手続補正３６】
【補正対象書類名】図面
【補正対象項目名】図１１
【補正方法】変更
【補正の内容】
【図１１】
2016025587.tif 000005
【手続補正３７】
【補正対象書類名】図面
【補正対象項目名】図１２
【補正方法】変更
【補正の内容】
【図１２】
2016025587.tif 000006